(57)【要約】【課題】  反射率が充分に高いミラーモード時と、画面輝度の低下が充分に防止されたディスプレイモード時とを容易に切り替えることが可能であるミラーディスプレイを提供する。【解決手段】  表示を行うディスプレイモードと、外光を反射するミラーモードとが切り換え可能なミラーディスプレイであって、少なくとも二つの反射型偏光板と、該少なくとも二つの反射型偏光板の裏側に配置された表示パネルとを有し、該少なくとも二つの反射型偏光板のうちの少なくとも一つが他の反射型偏光板に対して回転及び／又は移動可能に設けられており、該反射型偏光板の一つが回転及び／又は移動することにより、外光に対する反射率を調整可能であるミラーディスプレイである。【選択図】  図４
2016224185.tif 000002
【特許請求の範囲】
【請求項１】
表示を行うディスプレイモードと、外光を反射するミラーモードとが切り換え可能なミラーディスプレイであって、
少なくとも二つの反射型偏光板と、
該少なくとも二つの反射型偏光板の裏側に配置された表示パネルとを有し、
該少なくとも二つの反射型偏光板のうちの少なくとも一つが他の反射型偏光板に対して回転及び／又は移動可能に設けられており、該反射型偏光板の一つが回転及び／又は移動することにより、外光に対する反射率を調整可能であることを特徴とするミラーディスプレイ。
【請求項２】
前記少なくとも二つの反射型偏光板のうち、最も表示パネル側の反射型偏光板が他の反射型偏光板に対して回転及び／又は移動可能に設けられていることを特徴とする請求項１に記載のミラーディスプレイ。
【請求項３】
前記ディスプレイモードと、前記ミラーモードとが、前記表示パネルの電源状態に応じて切り換え可能であることを特徴とする請求項１又は２に記載のミラーディスプレイ。
【請求項４】
更に、ミラーディスプレイの周囲の照度を感知するセンサーを含み、
該センサーにより測定された周囲の照度に応じて外光に対する反射率を調整可能であることを特徴とする請求項１〜３のいずれかに記載のミラーディスプレイ。
【請求項５】
前記表示パネルが表示するコンテンツに含まれる情報に応じて外光に対する反射率を調整可能であることを特徴とする請求項１〜４のいずれかに記載のミラーディスプレイ。
【請求項６】
前記最も表示パネル側の反射型偏光板が回転するとともに、前記表示パネルは回転しないことを特徴とする請求項２に記載のミラーディスプレイ。
【請求項７】
前記最も表示パネル側の反射型偏光板が回転するとともに、前記表示パネルも回転することを特徴とする請求項２に記載のミラーディスプレイ。
【請求項８】
更に、複数のギアを含み、
前記回転及び／又は移動可能に設けられている反射型偏光板は、複数のギアに支持されていることを特徴とする請求項１〜７のいずれかに記載のミラーディスプレイ。
【請求項９】
前記反射型偏光板の一つが回転及び／又は移動することにより、表示を行うディスプレイモードと、外光を反射するミラーモードとが切り換え可能な表示領域と、該表示領域とは別に設けられたミラー領域とを含むことを特徴とする請求項１〜８のいずれかに記載のミラーディスプレイ。
【請求項１０】
少なくとも二つの反射型偏光板を有し、
該少なくとも二つの反射型偏光板のうちの少なくとも一つが他の反射型偏光板に対して回転及び／又は移動可能に設けられており、該反射型偏光板の一つが回転及び／又は移動することにより、外光に対する反射率を調整可能であることを特徴とするハーフミラープレート。
【請求項１１】
請求項１〜９のいずれかに記載のミラーディスプレイを有する電子機器。
【発明の詳細な説明】
【技術分野】
【０００１】
本発明は、ミラーディスプレイ、ハーフミラープレート及び電子機器に関する。より詳しくは、ミラーとして機能するミラーモード及び画像を表示するディスプレイモードを両立したミラーディスプレイ、上記ミラーディスプレイに用いられるハーフミラープレート、並びに、上記ミラーディスプレイを用いた電子機器に関する。
【背景技術】
【０００２】
図２１は、従来の一般的な表示パネルの電源オン時の表示状態及び電源オフ時の表示状態を示す説明図である。図２１に示すように、電源オン時の表示パネル１０１では、表示領域Ａに画像が表示され、表示領域Ａの外周にある、額縁又はベゼルと呼ばれる領域（額縁領域Ｂ）は、表示に寄与しない。一方、電源オフ時の表示パネル１０２では、表示領域Ａに画像は表示されず、額縁領域Ｂは表示に寄与しないままである。
【０００３】
このような従来の一般的な表示パネルは、電源オフ時等の非表示時には、画面が黒色又は灰色になるだけであるため何ら利用者の役に立たない。そればかりか、特にデジタルサイネージやテレビ受像機のようにサイズが大きく可搬性の低い表示パネルの場合、非表示時であっても表示時と同じ設置スペースを占有するため、利用者にとっては単なる障害物ともなり得る。特に、明るい部屋に置かれた大型表示パネルの黒画面は、インテリアと調和せずに大きな違和感がある。すなわち、従来の一般的な表示パネルは、表示時にしかその存在価値が認められないものであった。
【０００４】
これに対して、表示パネルの前面にハーフミラープレートを設けることで、非表示時にはミラーとして利用できるミラーディスプレイが提案されている（例えば、特許文献１〜４参照）。ミラーディスプレイによれば、本来の目的である表示以外に、ミラーとしての使用が可能である。
【０００５】
なお、反射機能を有する光学部材としては、多層型反射型偏光板、ナノワイヤーグリッド偏光板（例えば、特許文献５及び６参照）、コレステリック液晶の選択反射を用いた円偏光分離シート（例えば、特許文献７参照）が知られている。
【先行技術文献】
【特許文献】
【０００６】
【特許文献１】国際公開第２０１４／１１２５２５号
【特許文献２】国際公開第２０１５／０１９８５８号
【特許文献３】特開２００５−２９２７５３号公報
【特許文献４】特開２００４−１２５８８６号公報
【特許文献５】特開２００６−２０１７８２号公報
【特許文献６】特開２００５−１９５８２４号公報
【特許文献７】特開２００７−６５３１４号公報
【発明の概要】
【発明が解決しようとする課題】
【０００７】
従来のミラーディスプレイは、その設置環境が明るい場合は反射光が透過光より強くなりディスプレイ部の映り込みが強く映像が見づらく、暗い場合は反射光が透過光より弱くなり鏡として見づらい問題があった。また、従来のミラーディスプレイは、ディスプレイ部に表示するコンテンツ内容によって透過光の照度が変化するため、透過光が強い場合は反射光が見えづらくなり、弱い場合は映像が見えづらくなるものであった。
【０００８】
上記特許文献１に記載の発明は、２枚の偏光板でミラーディスプレイを実現する実施形態を開示する。上記特許文献１に記載のミラーディスプレイは、ディスプレイモード時とミラーモード時とが容易に切り替え可能なものではなく、更なる工夫の余地があった。
【０００９】
上記特許文献２に記載の発明は、反射型偏光板の偏光軸をずらして配置することで反射率を上げる。上記特許文献２に記載のミラーディスプレイは、表示を見やすくするために透過率を上げると、反射率が低くなり、ミラーモード時に暗くなってしまう。また、上記特許文献２に記載のミラーディスプレイも、ディスプレイモード時とミラーモード時とを容易に切り替え可能なものではなく、更なる工夫の余地があった。
【００１０】
上記特許文献３に記載の発明は、反射型偏光板を使用してミラーディスプレイを実現する。
上記特許文献３に記載の発明は、液晶セルが通常備える２枚の吸収型偏光板の他に、液晶セルの観察者側に１枚の反射型偏光板を配置し、これを回動させることにより、携帯端末の表示部をディスプレイモードとミラーモードとに切り替えるものであった。しかしながら、上記特許文献３に記載の発明は、反射型偏光板を１枚のみ使用しているため、透過率のみを変更するものであり、反射率は変更できない。したがって、ミラーモード時の反射率をより優れたものとするうえで工夫の余地があった。
【００１１】
上記特許文献４に記載の発明は、ハーフミラー層として反射型偏光板を用いた場合について開示している。しかしながら、一つの反射型偏光板の反射率は原理的に約５０％に制限されるため、ミラーモード時の反射率不足によりミラーとしての機能が充分ではなく、改善の余地があった。
【００１２】
これに対して、本発明者らは、複数の反射型偏光板によってハーフミラープレートを構成し、少なくとも１つの反射型偏光板を可動とすることに想到した。
【００１３】
本発明は、上記現状に鑑みてなされたものであり、反射率が充分に高いミラーモード時と、画面輝度の低下が充分に防止されたディスプレイモード時とを容易に切り替えることが可能であるミラーディスプレイ、そのミラーディスプレイに用いられるハーフミラープレート、及び、そのミラーディスプレイを用いた電子機器を提供することを目的とするものである。
【課題を解決するための手段】
【００１４】
本発明者らは、上述したように、ミラーディスプレイについて種々検討したところ、複数の反射型偏光板を用いてハーフミラープレートを構成し、ハーフミラープレートの裏側に表示パネルを配置し、少なくとも１つの反射型偏光板を可動とすることを見出した。これにより、上記課題をみごとに解決することができることに想到し、本発明に到達したものである。
【００１５】
すなわち、本発明の一態様は、表示を行うディスプレイモードと、外光を反射するミラーモードとが切り換え可能なミラーディスプレイであって、少なくとも二つの反射型偏光板と、該少なくとも二つの反射型偏光板の裏側に配置された表示パネルとを有し、該少なくとも二つの反射型偏光板のうちの少なくとも一つが他の反射型偏光板に対して回転及び／又は移動可能に設けられており、該反射型偏光板の一つが回転及び／又は移動することにより、外光に対する反射率を調整可能であるミラーディスプレイであってもよい。
【００１６】
本発明の別の一態様は、少なくとも二つの反射型偏光板を有し、該少なくとも二つの反射型偏光板のうちの少なくとも一つが他の反射型偏光板に対して回転及び／又は移動可能に設けられており、該反射型偏光板の一つが回転及び／又は移動することにより、外光に対する反射率を調整可能であることを特徴とするハーフミラープレートであってもよい。
【００１７】
本発明の更に別の一態様は、上記ミラーディスプレイを有する電子機器であってもよい。
【発明の効果】
【００１８】
本発明のミラーディスプレイ、ハーフミラープレート及び電子機器によれば、反射率が充分に高いミラーモード時と、画面輝度の低下が充分に防止されたディスプレイモード時とを容易に切り替えることが可能である。
【図面の簡単な説明】
【００１９】
【図１】実施形態１のミラーディスプレイのディスプレイモード及びミラーモードにおける画面を示す説明図である。
【図２】実施形態１のミラーディスプレイを示す分解立体図である。
【図３】実施形態１における液晶表示パネルの電源オン時及び電源オフ時それぞれの第一のハーフミラー層及び第二のハーフミラー層の透過軸を示す模式図である。
【図４】実施形態１のミラーディスプレイを示す構成図である。
【図５】実施形態１のミラーディスプレイの第１変形例を示す構成図である。
【図６】実施形態１のミラーディスプレイの第２変形例を示す構成図である。
【図７】実施形態１のミラーディスプレイの可動機構を示す断面模式図である。
【図８】実施形態１のミラーディスプレイの可動機構の変形例を示す断面模式図である。
【図９】実施形態２のハーフミラープレートを示す平面模式図である。
【図１０】実施形態２のハーフミラープレートを示す断面模式図である。
【図１１】実施形態２のハーフミラープレートにおける第一の反射型偏光板を示す平面模式図である。
【図１２】実施形態２のハーフミラープレートにおける第二の反射型偏光板を示す平面模式図である。
【図１３】実施形態３のハーフミラープレートを示す平面模式図である。
【図１４】実施形態３のハーフミラープレートを示す断面模式図である。
【図１５】実施形態３のハーフミラープレートにおける第一の反射型偏光板を示す平面模式図である。
【図１６】実施形態３のハーフミラープレートにおける第二の反射型偏光板を示す平面模式図である。
【図１７】実施形態４のハーフミラープレートを示す平面模式図である。
【図１８】実施形態４のハーフミラープレートを示す断面模式図である。
【図１９】実施形態４のハーフミラープレートにおける第一の反射型偏光板を示す平面模式図である。
【図２０】実施形態４のハーフミラープレートにおける第二の反射型偏光板を示す平面模式図である。
【図２１】従来の一般的な表示パネルの電源オン時の表示状態及び電源オフ時の表示状態を示す説明図である。
【発明を実施するための形態】
【００２０】
以下に実施形態を掲げ、本発明について図面を参照して更に詳細に説明するが、本発明はこれらの実施形態のみに限定されるものではない。また、各実施形態の構成は、本発明の要旨を逸脱しない範囲において適宜組み合わされてもよいし、変更されてもよい。
本発明のミラーディスプレイは、ディスプレイモードとミラーモードとを切り替え可能であることを特徴とする。ここで、ディスプレイモードとミラーモードとを切り替え可能とは、ディスプレイ面の少なくとも一部の領域（ディスプレイモードにおける表示領域）において、画像を表示する機能と入射光を反射する機能とを切り替え可能であればよい。すなわち、ディスプレイモードにおいて、ディスプレイ面の少なくとも一部の領域（表示領域）がハーフミラープレートを透過した光（映像）を表示し、ミラーモードは、当該少なくとも一部の領域において、入射光を反射するものであればよいが、光（映像）がハーフミラープレートを透過せず、映像を表示しないものであることが好ましい。本発明のミラーディスプレイは、反射型偏光板の一つが回転及び／又は移動することによりディスプレイモードとミラーモードとを切り替え可能である（ディスプレイ面の少なくとも一部の領域において、画像を表示する機能と入射光を反射する機能とを切り替え可能である）限り、ディスプレイモード及びミラーモードの両方において、ディスプレイ面の他の一部の領域がミラーとして機能していたり、ハーフミラープレートを透過した光（映像）を表示していたりしてもよいが、ミラーモードでは映像を表示しないことが本発明の好ましい形態の１つである。
なお、液晶表示パネルは、通常、その背面側に、バックライトが配置されており、液晶表示パネルから出射された光とは、通常、このバックライトから出射された光を言う。また、通常、液晶表示パネルの電源オン時には、バックライトから光が出射され、液晶表示パネルの電源オフ時には、バックライトから光が出射されないこととなる。
【００２１】
以下の各実施形態のミラーディスプレイは、反射型偏光板を２枚組み合わせた構造とし、２枚の反射型偏光板の一方を回転及び／又は移動させる可動手段（可動可能な機構）を備えることで、２枚の反射型偏光板の透過軸をずらし、反射率が可変な仕組みを実現する。同時に透過率も可変になる。
【００２２】
（実施形態１）
実施形態１は、液晶表示パネル、及び、二つの反射型偏光板を備えたミラーディスプレイに関する。実施形態１のミラーディスプレイは、更に、二つの反射型偏光板間に位相差板（例えば、λ／２板）を備えていてもよい。
なお、本明細書において、反射型偏光板はハーフミラー層と言い換えることもできる。「ハーフミラー層」とは、入射光に対する反射性能が付与された透光性の層であり、自然光に対して４０％以上の反射率を示すものであることが好ましく、５０％以上の反射率を示すものであることがより好ましい。また、本明細書において、「反射率」とは、特に断りがない限り、「視感反射率」を指す。また、ハーフミラー層は、入射光の一部を吸収するものであってもよい。
【００２３】
図１は、実施形態１のミラーディスプレイのディスプレイモード及びミラーモードにおける画面を示す説明図である。図１に示すように、ディスプレイモードのミラーディスプレイ１では、表示領域Ａは画像を表示し、額縁領域Ｂはミラーとして機能する。一方で、ミラーモードのミラーディスプレイ２では、表示領域Ａ及び額縁領域Ｂを一つのミラー面とし、ミラーディスプレイの全面をミラーにする。なお、表示領域Ａ中の画像を表示しない領域をミラーとして利用してもよい。
【００２４】
図２は、実施形態１のミラーディスプレイを示す分解立体図である。実施形態１のミラーディスプレイは、観察者側（ハーフミラープレートに対して表側）から背面側（ハーフミラープレートに対して裏側）に向かって順に、第一のハーフミラー層１０、第二のハーフミラー層２０、及び、液晶表示パネル３０を備える。液晶表示パネル３０は、通常、液晶パネル、液晶パネルの観察者側の偏光板、及び、液晶パネルの背面側の偏光板を備え、該背面側の偏光板の更に背面側にバックライトが配置されている。なお、液晶表示パネルを備えた液晶表示装置の代わりに、有機ＥＬ表示装置等のその他の表示装置を用いても構わない。
【００２５】
図３は、実施形態１における液晶表示パネルの電源オン時及び電源オフ時それぞれの第一のハーフミラー層１０及び第二のハーフミラー層２０の透過軸を示す模式図である。
図３に示すように、液晶表示パネル３０の電源オン時は、第一のハーフミラー層１０（第一の反射型偏光板）の透過軸と、第二のハーフミラー層２０（第二の反射型偏光板）の透過軸とが、実質的に平行である。また、液晶表示パネル３０の電源オン時から電源オフ時に切り替える際に、第二のハーフミラー層２０（第二の反射型偏光板）が回転するため、液晶表示パネルの電源オフ時は、第一のハーフミラー層１０（第一の反射型偏光板）の透過軸と、第二のハーフミラー層２０（第二の反射型偏光板）の透過軸とが、実質的に直交する。
【００２６】
実施形態１のミラーディスプレイのハーフミラープレートは、反射型偏光板を２枚組み合わせた構造を有し、一方の反射型偏光板を回転させることでその透過軸を回転させ、反射率を変えることができる。したがって、電源オフ時に反射率を高めることができ、ミラーとしての性能を高めることができる。
なお、実施形態１では、第一の反射型偏光板の透過軸と、第二の反射型偏光板の透過軸とが実質的に平行であるディスプレイモードと、第一の反射型偏光板の透過軸と、第二の反射型偏光板の透過軸とが実質的に直交するミラーモードとを切り替えており、これが顕著に低反射率・高透過率なディスプレイモードと顕著に高反射率・低透過率なミラーモードとを達成する観点から好ましいが、外光に対する反射率を所望のものに調整するために、両透過軸の相対的な角度は適宜設定することができる。
【００２７】
図４は、実施形態１のミラーディスプレイを示す構成図である。
実施形態１のミラーディスプレイは、ディスプレイモードと、ミラーモードとが、液晶表示パネルの電源状態に応じて切り換え可能である。例えば、実施形態１のミラーディスプレイは、液晶表示パネルの電源オン時にはディスプレイモード、液晶表示パネルの電源オフ時にはミラーモードとなるように、ディスプレイモードとミラーモードとを切り換える制御装置を備えることが好ましい。
実施形態１では、ＣＰＵ４３（中央処理装置）が、液晶表示パネル３０の電源がオン又はオフされたことを検出して、その電源状態の情報を反射率設定手段４１に送る。反射率設定手段４１はその電源状態の情報からその場合に好適な予め設定されている回転角度を判定してステッピングモーター２３を回し、第二の反射型偏光板２１を回転させる。
実施形態１のミラーディスプレイにより、液晶表示パネルの電源オン時は低反射率・高透過率とし、液晶表示パネルの電源オフ時は高反射率・低透過率とすることが可能となる。
【００２８】
上記液晶表示パネル３０は、偏光板を含むものであることが好ましい。例えば、液晶表示パネル３０は、液晶パネル、及び、液晶パネルの観察者側及び背面側のそれぞれにクロスニコルに配置された二つの吸収型偏光板を含むことが本発明における好ましい形態の１つである。液晶表示パネル３０の長辺を基準に反時計回りに正（＋）と定義したときに、背面側の吸収型偏光板の透過軸の方位は０°、観察者側の吸収型偏光板の透過軸の方位は９０°とした。以下では、上記定義に基づき軸の方位を記載する。液晶表示パネル３０は、表示モードがＵＶ２Ａ（UltraViolet induced multi-domain Vertical Alignment）であった。なお、液晶表示パネル３０は、図１中の額縁領域Ｂに対応する部分にベゼル等を適宜含んでいてもよい。ベゼルとしては、黒色のものが好適である。
【００２９】
なお、液晶表示パネル３０の観察者側の吸収型偏光板を省略し、その機能を、ハーフミラープレート内に設けたハーフミラー層としての第二の反射型偏光板２１に代替させてもよい。ただし、一般に反射型偏光板の偏光度は吸収型偏光板のそれに比べて低いため、上記吸収型偏光板を省略すると、ディスプレイモード時のコントラストが低下する。逆に言えば、第二の反射型偏光板２１の偏光度が充分であれば、液晶表示パネル３０の観察者側に設けられた吸収型偏光板は省略できる。吸収型偏光板を省略するためには、第二の反射型偏光板２１の偏光度は９０％以上（コントラスト比が１０以上）であることが好ましく、９９％以上（コントラスト比が１００以上）であることがより好ましい。
【００３０】
ハーフミラープレートは、観察者側から背面側に向かって順に、第一の反射型偏光板１１及び第二の反射型偏光板２１を備える。第一の反射型偏光板１１の観察者側に、更にガラス板が配置されていてもよい。また、第一の反射型偏光板１１と第二の反射型偏光板２１との間に、λ／２板等の位相差板が更に配置されていてもよい。各部材は、アクリル系の粘着剤を介して貼合した。ガラス板の材質としては、強化ガラスが好適である。ガラス板に代えて、例えば、アクリル樹脂製の透明板を用いてもよい。
【００３１】
第一の反射型偏光板１１、第二の反射型偏光板２１としては、例えば、多層型反射型偏光板、ナノワイヤーグリッド偏光板、コレステリック液晶の選択反射を用いた反射型偏光板を用いることができる。上記多層型反射型偏光板としては、住友スリーエム社製の反射型偏光板（商品名：ＤＢＥＦ）が挙げられる。上記ナノワイヤーグリッド偏光板としては、上記特許文献５及び６に開示されたものが挙げられる。第一の反射型偏光板１１、第二の反射型偏光板２１は、液晶表示パネル３０が電源オン時では、各々の透過軸が９０°方位となるように配置した。したがって、背面側の吸収型偏光板の透過軸（方位：０°）と第一の反射型偏光板１１、第二の反射型偏光板２１の透過軸（方位：９０°）とは、実質的に直交している。また、観察者側の吸収型偏光板の透過軸（方位：９０°）と第一の反射型偏光板１１、第二の反射型偏光板２１の透過軸（方位：９０°）とは、実質的に平行である。
【００３２】
λ／２板としては、例えば、日本ゼオン社製のシクロオレフィン系ポリマーフィルム（商品名：ゼオノアフィルム）を１軸延伸して、面内位相差を２７５ｎｍに調整したものを用いて、その遅相軸が５°方位となるように配置したものを使用できる。なお、所望の位相差が発現しさえすれば、延伸方法は特に限定されず、任意の延伸方法を用いることができる。面内位相差及び遅相軸は、デュアル・リターダー・ローテート方式のポーラリメータ（Ａｘｏｍｅｔｒｉｃｓ社製、商品名：Ａｘｏ−ｓｃａｎ）を用いて測定できる。なお、特に断りのない限り、波長５５０ｎｍでの測定結果を示している。
なお、ハーフミラー層は、多層型反射型偏光板以外に誘電体多層膜を含んでいてもよい。
【００３３】
なお、ガラス板、第一の反射型偏光板１１、第二の反射型偏光板２１、λ／２板等の位相差板、及び、誘電体多層膜は、各々、図１中の額縁領域Ｂに対応する部分まで延長されたものであってもよい。
【００３４】
本実施形態のミラーディスプレイは、以下の原理で、ディスプレイモード及びミラーモードの両方で動作させることができる。
【００３５】
ディスプレイモードでは、液晶表示パネル３０に画像を表示させ、観察者は、ハーフミラープレート越しに液晶表示パネル３０の画像を見る。液晶表示パネル３０から出射される光は９０°方位に振動する直線偏光であり、第二の反射型偏光板２１は透過軸が９０°方位に設定されているため、光はほとんどロスなく第二の反射型偏光板２１を透過できる。その後、第二の反射型偏光板２１を透過した光は、透過軸が９０°方位に設定されている第一の反射型偏光板１１を同様にほとんどロスなく透過する。このため、本実施形態のミラーディスプレイは、ハーフミラープレートを配置しているにも関わらず、高輝度の表示が可能なディスプレイモードを提供できる。
【００３６】
ミラーモードでは、液晶表示パネル３０には画像を表示させず、観察者は、ハーフミラープレートで反射した外光のみを見る。ミラーモードでは、第二の反射型偏光板２１は透過軸が０°方位に回転されている。観察者側からハーフミラープレートに入射する光のうち、０°方位に振動する直線偏光は、透過軸が９０°、すなわち反射軸が０°方位に設定された第一の反射型偏光板１１でほとんど全てが反射される。また、観察者側からハーフミラープレートに入射する光のうち、９０°方位に振動する直線偏光は、透過軸が９０°方位に設定された第一の反射型偏光板１１を透過する。第一の反射型偏光板１１を透過した光は、透過軸が０°方位に設定された第二の反射型偏光板２１で反射され、その反射光は、第一の反射型偏光板１１を透過できる。このため、本実施形態のミラーディスプレイは、大きい反射率を呈し、高性能なミラーモードを提供できる。
【００３７】
なお、第一の反射型偏光板１１の透過軸の方位（９０°）、第二の反射型偏光板２１の透過軸の方位（９０°）、背面側の吸収型偏光板の透過軸の方位（０°）、及び、観察者側の吸収型偏光板の透過軸の方位（９０°）は、その相対関係が重要であり、設定した角度からずれると表示品位が低下してしまうが、例えば３°程度のずれであれば実用上許容できる。他の実施形態例についても同様である。
【００３８】
実施形態１のミラーディスプレイは、液晶表示パネルの電源状態に応じて反射型偏光板の回転角度を調整するものであり、このような形態が好ましい。なお、反射型偏光板を回転させること自体でディスプレイモードとミラーディスプレイとを切り替えることも可能であり、これも本発明のミラーディスプレイの１つの形態である。
【００３９】
図５は、実施形態１のミラーディスプレイの第１変形例を示す構成図である。
実施形態１の第１変形例のミラーディスプレイは、センサーにより測定された周囲の照度に応じて反射率を調整可能である。例えば、実施形態１の第１変形例のミラーディスプレイは、周囲の照度が所定以上では外光に対する反射率が低くなり、周囲の照度が所定未満では外光に対する反射率が高くなるように、反射率を調整可能な制御装置を備えることが好ましい。
実施形態１の第１変形例では、ＣＰＵ１４３はコンテンツ１４５（音声、動画、静止画等）を読み出して液晶表示パネル１３０において表示を行いつつ、周囲の照度を照度センサー１４７で検出してその値を反射率設定手段１４１に送る。反射率設定手段１４１はその値から最適な反射率を計算し、その場合に好適な予め設定されている回転角度を判定してステッピングモーター１２３を回し、第二の反射型偏光板１２１を回転させる。
ここで、照度センサー１４７は、液晶表示パネルの観察面側に配置され、表示パネルからの光の照度を検出するものであってもよい。
また、実施形態１の第１変形例では、照度センサー１４７として周囲の照度を感知するセンサーを用いているが、その他、人感センサー等のその他のセンサーを用いてもよい。
人感センサーを用いる場合は、人が近づいたり離れたりすることを感知して反射率、透過率を変化させる。例えば、人が近づいたことを感知してミラーモードにしたり、逆にディスプレイモードにしたりする。また、反射率、透過率を変化させることで反射光と映像との組み合わせを利用した効果的な演出を行うことができる。例えば、人が近づいたり離れたりすることで自分が映っていたものが徐々に他者や別のキャラクター等に変化したり、鏡と思って顔を近づけて覗き込むと自分の顔の表情や形等が変化したりすることで、人に驚きや不思議な感覚を与えることができる。
【００４０】
実施形態１の第１変形例により、液晶表示パネル１３０の電源オン時に設置環境の照度に応じて反射率・透過率を調整できる。具体的には、照度が所定以上の場合は低反射率・高透過率に、照度が所定未満の場合は高反射率・低透過率にすることが可能となる。これにより、電源オン時のミラーと映像の視認性をミラーディスプレイの設置環境に応じて最適な状態にすることができる。
【００４１】
図６は、実施形態１のミラーディスプレイの第２変形例を示す構成図である。
実施形態１の第２変形例のミラーディスプレイは、表示パネルにおけるコンテンツに含まれる情報（例えば、角度情報）に応じて反射率を調整可能である。例えば、実施形態１の第２変形例のミラーディスプレイは、表示パネルにおけるコンテンツに含まれる情報（例えば、反射型偏光板の回転角度情報）に沿って、第二の反射型偏光板２２１を回転させ、外光に対する反射率を調整可能な制御装置を備えることが好ましい。
実施形態１の第２変形例では、ＣＰＵ２４３はコンテンツ２４５を読み出して液晶表示パネル２３０において表示を行いつつ、コンテンツ２４５内に含まれる情報（例えば、反射型偏光板の回転角度情報）を読み出し反射率設定手段２４１に送る。反射率設定手段２４１はその回転角度情報等の情報に沿ってステッピングモーター２２３を回し、第二の反射型偏光板２２１を回転させる。
ここで、コンテンツ２４５内に含まれる情報を読み出す代わりに、表示パネルから出射される光の照度を計算してその値を反射率設定手段２４１に送り、反射率設定手段２４１はその値から最適な反射率を計算し、その場合に好適な予め設定されている回転角度を判定してステッピングモーターを回し、第二の反射型偏光板２２１を回転させるものであってもよい。
【００４２】
上述した実施形態１の第１変形例や第２変形例では、周囲の照度を検出したり、コンテンツに角度情報を付加したりしておくことで反射型偏光板の回転角度を動的に制御する。これによりコンテンツ毎やコンテンツ再生途中にも動的に透過率と反射率を適切に変化させることができる。特に、実施形態１の第２変形例により、コンテンツ毎の映像の違いや、１つのコンテンツ内での映像の変化があっても反射率、透過率を変化させることができ、反射光、透過光（映像）を常に見やすくすることができる。また、反射率、透過率を変化させることで反射光と映像との組み合わせを利用した効果的な演出を行うことも可能である。
【００４３】
なお、上述した実施形態１や、実施形態１の第１変形例、第２変形例では、第二の反射型偏光板が回転可能であるが、第二の反射型偏光板の代わりに、第一の反射型偏光板を回転可能としてもよく、第一の反射型偏光板及び第二の反射型偏光板の両方をそれぞれ回転可能としてもよい。中でも、少なくとも第二の反射型偏光板が回転可能であることが好ましい。
つまり、第一の反射型偏光板及び第二の反射型偏光板のいずれを回転させても、回転角度が同じなら反射率は同じであるが、表示パネル（液晶表示パネル）からの光の透過率は第二の反射型偏光板を動かして第一の反射型偏光板の透過軸と第二の反射型偏光板の透過軸とを直交させた方が下がるため、ミラーとして使用しつつ表示パネルがオン状態である場合は、第二の反射型偏光板を動かした方がミラーとして使用しやすくなる。
また観察者側から見えない第二の反射型偏光板を回転した方が回転していることが分からず、製品としてスマートに見える。更に、ミラーディスプレイを壁に埋め込む等した場合で第一の反射型偏光板を壁に固定するときは第二の反射型偏光板を動かすことになる。
【００４４】
図７は、実施形態１のミラーディスプレイの可動機構を示す断面模式図である。図８は、実施形態１のミラーディスプレイの可動機構の変形例を示す断面模式図である。
本明細書中、図７に示した可動機構を第一の可動機構とも言い、図８に示した可動機構の変形例を第二の可動機構とも言う。
【００４５】
第一の可動機構において、ギア３２５と接している部材３２７にもギアがあり、これらが噛み合っており、第二の反射型偏光板３２１を回転させる。
第二の可動機構も同様であり、ギア４２５と接している部材４２７にもギアがあり、これらが噛み合っており、第二の反射型偏光板を貼りつけた液晶表示パネル４２１Ａを回転させる。
【００４６】
第一の可動機構では、次の２パターンが考えられる。
（ａ）部材３２７が第二の反射型偏光板３２１のみに結合していてこれが回転し、第一の反射型偏光板３１１と液晶表示パネル３３０は回転しない。
（ｂ）部材３２７が第二の反射型偏光板３２１及び液晶表示パネル３３０に結合していてこれらが回転し、第一の反射型偏光板３１１のみ回転しない。この場合の効果は、第一の反射型偏光板３１１のみを回転した場合と同じになる。
【００４７】
第一の反射型偏光板３１１側面の筐体部分３１７は、第一の反射型偏光板３１１に結合しており、次の役割がある。
（ａ）第一の反射型偏光板３１１を支持する。
（ｂ）第二の反射型偏光板３２１を挟み、位置ずれ（回転の中心ずれ）を防ぐ。
（ｃ）内部の回転部分を守る。
【００４８】
第一の可動機構は、第二の反射型偏光板３２１が液晶表示パネル３３０に貼りつけられていないため、第二の反射型偏光板３２１だけを取り替えやすいメリットがある。
【００４９】
第二の可動機構では、第二の反射型偏光板を貼りつけた液晶表示パネル４２１Ａの額縁領域に部材４２７を当てて回転させるものであり、第一の反射型偏光板４１１は回転しない。
第二の可動機構は、ギア４２５と噛み合う部材４２７が第二の反射型偏光板を貼りつけた液晶表示パネル４２１Ａの裏側になるため、正面から見た場合にミラーディスプレイ（液晶表示パネル）の額縁領域をより細くすることが可能である。また、第二の反射型偏光板を貼りつけるガラスが不要なため薄くなる。
なお、第二の可動機構では、第二の反射型偏光板が液晶と一緒に回転するため、その効果は、第一の反射型偏光板４１１のみを回転した場合と同じになる（ミラーモードにおける外光に対する反射率が、第二の反射型偏光板のみを回転した場合と比べてやや低くなる）。
【００５０】
以下の実施形態２〜４では、別の可動機構の例を示す。
【００５１】
（実施形態２）
図９は、実施形態２のハーフミラープレートを示す平面模式図である。図１０は、実施形態２のハーフミラープレートを示す断面模式図である。
実施形態２に示した可動機構は、第二の反射型偏光板５２１と噛み合うラック５２７（直線歯形のギア）を長手方向に動かすことにより、第二の反射型偏光板５２１を回転させる。なお、本明細書中、ラック（直線歯形のギア）もギアの１種である。
実施形態２に示した可動機構では、３つのラック５２７は、第二の反射型偏光板５２１を回転させると同時に上下左右方向に位置がずれないように固定する役割を担う。第二の反射型偏光板５２１の周囲が３つのラック５２７により挟まれている（支持されている）ため、第二の反射型偏光板５２１の回転と同時に第二の反射型偏光板５２１の位置ずれ（回転の中心ずれ）を防ぐことができる。なお、第二の反射型偏光板５２１の位置がずれないように固定する観点からは、部材の数は、２つ以上が好ましく、３つ以上がより好ましい。また、ステッピングモーター（図示せず）は、複数のラックのうち１つと接続されていればよい。
【００５２】
図１１は、実施形態２のハーフミラープレートにおける第一の反射型偏光板を示す平面模式図である。図１２は、実施形態２のハーフミラープレートにおける第二の反射型偏光板を示す平面模式図である。
第一の反射型偏光板５１１は、透過軸の方位が９０°で固定されている。第二の反射型偏光板５２１は、例えば、液晶表示パネルの電源状態に応じて回転角度を調整することができる。すなわち、第二の反射型偏光板５２１は、液晶表示パネル５３０の電源オン時には、その透過軸が方位９０°で第一の反射型偏光板５１１の透過軸と実質的に平行であり、液晶表示パネル５３０の電源オフ時には、その透過軸が方位０°で第一の反射型偏光板５１１の透過軸と実質的に直交するように回転させることができる。
【００５３】
液晶表示パネル５３０の電源オン時（ディスプレイモード）には、液晶表示パネル５３０から出射される光は９０°方位に振動する直線偏光であり、第二の反射型偏光板５２１は透過軸が９０°方位に設定されているため、光はほとんどロスなく第二の反射型偏光板５２１を透過できる。その後、第二の反射型偏光板５２１を透過した光は、透過軸が９０°方位に設定されている第一の反射型偏光板５１１を同様にほとんどロスなく透過する。このため、本実施形態のミラーディスプレイは、ハーフミラープレートを配置しているにも関わらず、高輝度の表示が可能なディスプレイモードを提供できる。
【００５４】
液晶表示パネル５３０の電源オフ時（ミラーモード）には、第二の反射型偏光板５２１は透過軸が０°方位に回転されている。観察者側からハーフミラープレートに入射する光のうち、０°方位に振動する直線偏光は、透過軸が９０°、すなわち反射軸が０°方位に設定された第一の反射型偏光板５１１でほとんど全てが反射される。また、観察者側からハーフミラープレートに入射する光のうち、９０°方位に振動する直線偏光は、透過軸が９０°方位に設定された第一の反射型偏光板５１１を透過する。第一の反射型偏光板５１１を透過した光は、透過軸が０°方位に設定された第二の反射型偏光板５２１で反射され、その反射光は、第一の反射型偏光板５１１を透過できる。このため、本実施形態のミラーディスプレイは、大きい反射率を呈し、高性能なミラーモードを提供できる。
【００５５】
実施形態２のミラーディスプレイは、液晶表示パネル５３０の電源状態に応じて反射型偏光板の回転角度を制御する代わりに、周囲の照度を検出したり、コンテンツに角度情報を付加したりしておくことで反射型偏光板の回転角度を動的に制御するものであってもよい。
【００５６】
（実施形態３）
図１３は、実施形態３のハーフミラープレートを示す平面模式図である。図１４は、実施形態３のハーフミラープレートを示す断面模式図である。なお、実施形態３では、第二の反射型偏光板６２１は、回転する必要はなく、移動するものであればよい。
実施形態３に示した可動機構は、表示領域Ａが第一の反射型偏光板６１２Ｈであり、表示領域Ａ以外が高反射率ミラー６１２Ｍである部材６１２と、該部材６１２の裏側に配置された第二の反射型偏光板６２１と、液晶表示パネル６３０とを含む。第二の反射型偏光板６２１を、ディスプレイ主面と水平方向に動かすことにより、表示領域Ａと重畳するようにしたり、重畳しないようにしたりすることができる。
【００５７】
図１５は、実施形態３のハーフミラープレートにおける第一の反射型偏光板を示す平面模式図である。図１６は、実施形態３のハーフミラープレートにおける第二の反射型偏光板を示す平面模式図である。
第一の反射型偏光板６１２Ｈは、透過軸の方位が９０°で固定されている。第二の反射型偏光板６２１は、透過軸の方位は０°で固定されているが、ディスプレイ主面と水平方向に移動可能である。例えば、液晶表示パネルの電源状態に応じて第二の反射型偏光板６２１を移動させることができる。すなわち、液晶表示パネルの電源オン時には、第二の反射型偏光板６２１が第一の反射型偏光板６１２Ｈと重畳しないように移動させ、液晶表示パネルの電源オフ時には、第二の反射型偏光板６２１が第一の反射型偏光板６１２Ｈと重畳するように移動させる。
【００５８】
液晶表示パネルの電源オン時（ディスプレイモード）には、表示領域Ａにおいては、反射型偏光板としては透過軸が９０°方位に設定されている第一の反射型偏光板６１２Ｈのみが配置されている。液晶表示パネルから出射される光は、９０°方位に振動する直線偏光であり、第一の反射型偏光板６１２Ｈを同様にほとんどロスなく透過する。このため、本実施形態のミラーディスプレイは、ハーフミラープレートを配置しているにも関わらず、高輝度の表示が可能なディスプレイモードを提供できる。なお、表示領域Ａ以外の領域は、高反射率ミラー６１２Ｍであり、観察者側からハーフミラープレートに入射する光のほとんど全てが反射される。
【００５９】
液晶表示パネルの電源オフ時（ミラーモード）には、表示領域Ａ以外の領域においては、観察者側からハーフミラープレートに入射する光のほとんど全てが反射される。表示領域Ａにおいては、透過軸が９０°方位に設定されている第一の反射型偏光板６１２Ｈと透過軸が０°方位に設定されている第二の反射型偏光板６２１が互いに重畳するように配置されている。観察者側からハーフミラープレートに入射する光のうち、０°方位に振動する直線偏光は、透過軸が９０°、すなわち反射軸が０°方位に設定された第一の反射型偏光板６１２Ｈでほとんど全てが反射される。また、観察者側からハーフミラープレートに入射する光のうち、９０°方位に振動する直線偏光は、透過軸が９０°方位に設定された第一の反射型偏光板６１２Ｈを透過する。第一の反射型偏光板６１２Ｈを透過した光は、透過軸が０°方位に設定された第二の反射型偏光板６２１で反射され、その反射光は、第一の反射型偏光板６１２Ｈを透過できる。このため、本実施形態のミラーディスプレイは、大きい反射率を呈し、高性能なミラーモードを提供できる。
【００６０】
実施形態３のミラーディスプレイは、液晶表示パネルの電源状態に応じて反射型偏光板の位置を制御する代わりに、周囲の照度を検出したり、コンテンツに角度情報を付加したりしておくことで反射型偏光板の位置を動的に制御するものであってもよい。
【００６１】
（実施形態４）
図１７は、実施形態４のハーフミラープレートを示す平面模式図である。図１８は、実施形態４のハーフミラープレートを示す断面模式図である。
実施形態４に示した可動機構は、第二の反射型偏光板７２１と噛み合うギア７２５を回転することにより、第二の反射型偏光板７２１を回転させる。
実施形態４に示した可動機構では、４つのギア７２５は、第二の反射型偏光板７２１を回転させると同時に上下左右方向に位置がずれないように固定する役割を担う。すなわち、第二の反射型偏光板７２１の周囲が４つのギア７２５により挟まれている（支持されている）ため、第二の反射型偏光板７２１の回転と同時に第二の反射型偏光板７２１の位置ずれ（回転の中心ずれ）を防ぐことができる。なお、第二の反射型偏光板７２１の位置がずれないように固定する観点からは、ギアの数は、２つ以上が好ましく、３つ以上がより好ましく、４つ以上が更に好ましい。また、ステッピングモーター（図示せず）は、複数のギアのうち１つと接続されていればよい。
【００６２】
図１９は、実施形態４のハーフミラープレートにおける第一の反射型偏光板を示す平面模式図である。図２０は、実施形態４のハーフミラープレートにおける第二の反射型偏光板を示す平面模式図である。
【００６３】
第一の反射型偏光板７１１は、透過軸の方位が９０°で固定されている。第二の反射型偏光板７２１は、例えば、液晶表示パネルの電源状態に応じて回転角度を調整することができる。すなわち、第二の反射型偏光板７２１は、液晶表示パネルの電源オン時には、その透過軸が方位９０°で第一の反射型偏光板７１１の透過軸と実質的に平行であり、液晶表示パネルの電源オフ時には、その透過軸が方位０°で第一の反射型偏光板７１１の透過軸と実質的に直交するように回転させることができる。
【００６４】
液晶表示パネルの電源オン時（ディスプレイモード）には、液晶表示パネルから出射される光は９０°方位に振動する直線偏光であり、第二の反射型偏光板７２１は透過軸が９０°方位に設定されているため、光はほとんどロスなく第二の反射型偏光板７２１を透過できる。その後、第二の反射型偏光板７２１を透過した光は、透過軸が９０°方位に設定されている第一の反射型偏光板７１１を同様にほとんどロスなく透過する。このため、本実施形態のミラーディスプレイは、ハーフミラープレートを配置しているにも関わらず、高輝度の表示が可能なディスプレイモードを提供できる。
【００６５】
液晶表示パネルの電源オフ時（ミラーモード）には、第二の反射型偏光板７２１は透過軸が０°方位に回転されている。観察者側からハーフミラープレートに入射する光のうち、０°方位に振動する直線偏光は、透過軸が９０°、すなわち反射軸が０°方位に設定された第一の反射型偏光板７１１でほとんど全てが反射される。また、観察者側からハーフミラープレートに入射する光のうち、９０°方位に振動する直線偏光は、透過軸が９０°方位に設定された第一の反射型偏光板７１１を透過する。第一の反射型偏光板７１１を透過した光は、透過軸が０°方位に設定された第二の反射型偏光板７２１で反射され、その反射光は、第一の反射型偏光板７１１を透過できる。このため、本実施形態のミラーディスプレイは、大きい反射率を呈し、高性能なミラーモードを提供できる。
【００６６】
実施形態４のミラーディスプレイは、液晶表示パネルの電源状態に応じて反射型偏光板の回転角度を制御する代わりに、周囲の照度を検出したり、コンテンツに角度情報を付加したりしておくことで反射型偏光板の回転角度を動的に制御するものであってもよい。
【００６７】
上述したような各実施形態のミラーディスプレイにおいて、ミラーモード時にミラー面として機能する領域であるミラー領域の一部に額縁領域を含めれば、ミラーモードのミラー領域をディスプレイモードの表示領域よりも大面積にすることができるので、額縁領域を有効活用してミラーとしての実用性を高めることができる。また、額縁領域にミラーとしての機能を付与することでディスプレイモード時のデザイン性が高まることがある。
【００６８】
［付記］
以下に、本発明に係るミラーディスプレイの好適な態様の例を挙げる。各例は、本発明の要旨を逸脱しない範囲において適宜組み合わされてもよい。
【００６９】
本発明のミラーディスプレイは、反射型偏光板の一つが回転及び／又は移動することにより、ディスプレイモードとミラーモードとを切り換える制御装置を備えることが好ましい。
【００７０】
本発明のミラーディスプレイにおいて、上記少なくとも二つの反射型偏光板のうち、最も表示パネル側の反射型偏光板が他の反射型偏光板に対して回転及び／又は移動可能に設けられていることが好ましい。最も表示パネル側の反射型偏光板を動かした方が光の透過率が下がるため、ミラーとして使用しやすくなる。また、観察者側から見えない第二の反射型偏光板を回転した方が回転していることが分からず、製品としてスマートに見える。
【００７１】
本発明のミラーディスプレイは、上記ディスプレイモードと、上記ミラーモードとが、上記表示パネルの電源状態に応じて切り換え可能であることが好ましい。すなわち、表示パネルの電源オン時にはディスプレイモードとなり、表示パネルの電源オフ時にはミラーモードとなるように、ディスプレイモードとミラーモードとが切り換え可能であることが好ましい。これにより、表示パネルの電源オン時は低反射率・高透過率とし、表示パネルの電源オフ時は高反射率・低透過率とすることが可能となる。
【００７２】
本発明のミラーディスプレイは、更に、ミラーディスプレイの周囲の照度を感知するセンサーを含み、該センサーにより測定された周囲の照度に応じて外光に対する反射率を調整可能であることが好ましい。すなわち、周囲の照度が所定以上では外光に対する反射率が低く、周囲の照度が所定未満では外光に対する反射率が高くなるように、外光に対する反射率を調整可能であることが好ましい。これにより、明るい場合は低反射率・高透過率に、暗い場合は高反射率・低透過率とすることができる。これにより、電源オン時のミラーと映像の視認性をミラーディスプレイの設置環境に応じて最適な状態にすることができる。
【００７３】
本発明のミラーディスプレイは、上記表示パネルが表示するコンテンツに含まれる情報に応じて外光に対する反射率を調整可能であることが好ましい。すなわち、表示パネルにおけるコンテンツに含まれる情報に沿って、反射型偏光板の一つが回転及び／又は移動することにより、外光に対する反射率を調整可能であることが好ましい。これにより、反射光・透過光を見やすくすることが可能となる。また、効果的な演出を行うことも可能である。
【００７４】
本発明のミラーディスプレイにおいて、上記最も表示パネル側の反射型偏光板が回転するとともに、上記表示パネルは回転しないことが好ましい。この場合、最も表示パネル側の反射型偏光板を取り替えし易い。
【００７５】
本発明のミラーディスプレイにおいて、上記最も表示パネル側の反射型偏光板が回転するとともに、上記表示パネルも回転することが好ましい。これにより、ミラーディスプレイの額縁領域をより細くすることができる。また、ハーフミラーを薄くすることができる。
【００７６】
本発明のミラーディスプレイにおいて、更に、複数のギアを含み、上記回転及び／又は移動可能に設けられている反射型偏光板は、複数のギアに支持されていることが好ましい。これにより、反射型偏光板の位置ずれを防ぐことができる。
【００７７】
本発明のミラーディスプレイは、上記反射型偏光板の一つが回転及び／又は移動することにより、表示を行うディスプレイモードと、外光を反射するミラーモードとが切り換え可能な表示領域と、該表示領域とは別に設けられたミラー領域とを含むことが好ましい。
【００７８】
本発明において、表示パネル中の偏光板の透過軸と、ハーフミラープレート中の少なくとも二つの反射型偏光板の透過軸とは、実質的に平行又は実質的に直交する関係となる。このような関係となる構成の例としては次のようなものが挙げられる：表示装置中に１枚の偏光板が含まれるミラーディスプレイ（例：有機ＥＬ表示装置に反射防止用の偏光板が設けられる場合）；表示パネル中に互いに平行な透過軸を有する複数の偏光板が含まれる場合（例：液晶表示パネルにパラレルニコルの一対の偏光板が設けられる場合）であって、かつ上記少なくとも二つの反射型偏光板が少なくとも一つの多層型反射型偏光板を含むものであるミラーディスプレイ；液晶表示パネルの表裏にクロスニコルの一対の偏光板が設けられる場合であって、ハーフミラープレートに近い側（通常は、表側）の偏光板を取り除き、その機能をハーフミラープレート中の多層型反射型偏光板に代替させるミラーディスプレイ；表示パネル中に互いに直交する透過軸を有する一対の偏光板が含まれる場合（例：液晶表示パネルにクロスニコルの一対の偏光板が設けられる場合）であって、かつ上記少なくと二つの反射型偏光板が少なくとも一つの多層型反射型偏光板を含むものであるミラーディスプレイ。
【００７９】
上記表示パネルは、液晶表示パネルであってもよい。また、上記表示パネルの種類は、偏光が出射するものであれば特に限定されず、例えば、反射防止用の偏光板が積層された有機エレクトロルミネセンス表示パネルであってもよい。また、立体（３Ｄ）映像を観察することができる、いわゆる３Ｄ対応ディスプレイであってもよい。３Ｄ対応ディスプレイによれば、ミラー領域と同様にディスプレイ領域にも自然な奥行感を提供することができ、ミラーディスプレイのデザイン性を向上し、多様な用途においてミラーディスプレイを活用できる。３Ｄ対応ディスプレイの立体映像表示方式は特に限定されず、任意の方式が利用できるが、メガネを必要としない裸眼方式がより好ましい。裸眼方式の３Ｄ対応ディスプレイとしては、例えば、レンチキュラーレンズ方式、視差バリア方式が挙げられる。
【００８０】
以上に、本発明のミラーディスプレイの好適な態様の例を挙げたが、それらの例の中でハーフミラープレートの特徴に関係するものは、本発明のハーフミラープレートの好適な態様の例でもある。
【００８１】
以下に、本発明の電子機器の好適な態様の例を挙げる。
【００８２】
上記電子機器は、ミラーモードとディスプレイモードとを画面全体で時間的に切り替える機能だけではなく、同時刻、同一面内で、ある領域はミラー、その他の領域はディスプレイとして動作させる機能を有していてもよい。例えば、表示パネルにおいて表示領域の中心部分を黒表示状態とし、周辺部分を画像表示状態とすることで、表示領域の中心部分のみにミラー領域を形成してもよい。すなわち、上記電子機器は、更に、上記表示領域を複数の領域に分割して制御する制御装置を有し、上記制御装置は、上記複数の領域の中から、画像を表示する領域を選択することにより、画像が表示される範囲及び位置を変更できるものであってもよい。画像が表示される範囲及び位置を変更できることにより、ミラーの機能と表示パネルによる画像表示機能とを組み合わせた多様な用途を提供することができる。
【００８３】
上記電子機器は、ミラーモードとして動作させる領域では、バックライトを局所的に消灯させてもよく、バックライトの輝度を低くしてもよい。これらにより、液晶表示パネルからの漏れ光を低減できる。これらの場合においては、ローカルディミングバックライトを用いてもよい。
【００８４】
上記画像の表示範囲は、ピンチイン及びピンチアウトにより変更できるものであってもよい。この場合、使い勝手のよい電子機器を実現できる。
【符号の説明】
【００８５】
１：ディスプレイモードのミラーディスプレイ
２：ミラーモードのミラーディスプレイ
１０：第一のハーフミラー層
１１、１１１、２１１、３１１、４１１、５１１、６１２Ｈ、７１１：第一の反射型偏光板
２０：第二のハーフミラー層
２１、１２１、２２１、３２１、５２１、６２１、７２１：第二の反射型偏光板
２３、１２３、２２３、３２３、４２３：ステッピングモーター
３０、１３０、２３０、３３０、５３０、６３０、７３０：液晶表示パネル
４１、１４１、２４１：反射率設定手段
４３、１４３、２４３：ＣＰＵ
４５、１４５：コンテンツ
１０１：電源オン状態の表示パネル
１０２：電源オフ状態の表示パネル
１４７：照度センサー
２４５：コンテンツ（角度情報）
３１７、４１７：筐体部分
３２７、４２７：部材
３２５、４２５、７２５：ギア
４２１Ａ：第二の反射型偏光板を貼りつけた液晶表示パネル
５２７：ラック
６１２：表示領域が第一の反射型偏光板であり、表示領域以外が高反射率ミラーである部材
６１２Ｍ：高反射率ミラー
【図１】
2016224185.tif 000003
【図２】
2016224185.tif 000004
【図３】
2016224185.tif 000005
【図４】
2016224185.tif 000006
【図５】
2016224185.tif 000007
【図６】
2016224185.tif 000008
【図７】
2016224185.tif 000009
【図８】
2016224185.tif 000010
【図９】
2016224185.tif 000011
【図１０】
2016224185.tif 000012
【図１１】
2016224185.tif 000013
【図１２】
2016224185.tif 000014
【図１３】
2016224185.tif 000015
【図１４】
2016224185.tif 000016
【図１５】
2016224185.tif 000017
【図１６】
2016224185.tif 000018
【図１７】
2016224185.tif 000019
【図１８】
2016224185.tif 000020
【図１９】
2016224185.tif 000021
【図２０】
2016224185.tif 000022
【図２１】
2016224185.tif 000023